(57)【要約】【課題】ノズルによる吸着信頼性を向上させるために、少なくともコアの被吸着面相当部をカバーで覆い、また覆ったカバーがコアから剥がれるのを防止する電子部品を提供する。【解決手段】金属カバー１０は、板状部材１０Ａと、第１傾斜面４Ｂ１、第５傾斜面５Ｂ１、図示せぬ第３傾斜面、図示せぬ第７傾斜面に対向する第１−１カバー片部１０Ｂ１、第１−２カバー片部１０Ｃ１、図示せぬ第２−１カバー片部、図示せぬ第２−２カバー片部とを有している。そして、各カバー片部１０Ｂ１、１０Ｃ１には、それぞれアンカー効果発生部である切欠き１０ａが形成されている。そして、金属カバーと第１、２コア４、５との間に介在する接着剤１１により、電子部品本体（チップ部品２、金属フレーム端子３及び第１、２コア４、５）と金属カバー１０とは一体化される。このとき接着剤１１は、切欠き１０ａにも流入し硬化している。【選択図】図１
2006073782.tif 000002
【特許請求の範囲】
【請求項１】
一対の外部電極を有するチップ部品と、
少なくとも一方向に開口するスペースを提供し、該スペースに該チップ部品を収容し、一対の貫通穴を有するコアと、
該一対の貫通穴に貫通し、該チップ部品の一方の外部電極と接合する接合部を有する金属フレーム端子と、
該接合部及び該コアと対向する板状部材と、該板状部材から延び該コアを保持するカバー片部とを有するカバーと、
該コアと該カバーとを一体化するため、該コアと該カバーとの間に介在する樹脂と、を備えた電子部品であって、
該カバー片部には、アンカー効果発生部が形成され、該アンカー効果発生部内にも該樹脂が流入固化していることを特徴とする電子部品。
【請求項２】
該アンカー効果発生部は、スリットであることを特徴とする請求項１に記載の電子部品。
【請求項３】
該アンカー効果発生部は、該カバー片部の該コアと対向する側に形成されたカバー凹部であることを特徴とする請求項１に記載の電子部品。
【請求項４】
該アンカー効果発生部は、該カバー片部の該コアと対向する側に形成された溝であることを特徴とする請求項１に記載の電子部品。
【請求項５】
該アンカー効果発生部は、孔であることを特徴とする請求項１に記載の電子部品。
【請求項６】
該アンカー効果発生部は、切欠きであることを特徴とする請求項１に記載の電子部品。
【請求項７】
該コアの該カバー片部と対向する部分には、コア凹部が形成されていることを特徴とする請求項１に記載の電子部品。
【請求項８】
該アンカー効果発生部は、該カバー片部の該接合部から離間する側の端部に形成されることを特徴とする請求項１に記載の電子部品。
【発明の詳細な説明】
【技術分野】
【０００１】
本発明は、電子部品に関し、特にノイズを吸収するノイズフィルタ等の電子部品に関する。
【背景技術】
【０００２】
従来から、表面実装が可能な電子部品の様々な形状が提案されている。例えば、チップコンデンサを金属フレーム端子で保有し、貫通穴を有する一対のコアによって、チップコンデンサを挟みつつ金属フレーム端子の一対の貫通部を各貫通穴に貫通させて、金属フレーム端子の一対の外縁部をそれぞれコアに沿わせて表面実装可能な電子部品が提案されている（例えば、特許文献１参照）。
【０００３】
また、一対の腕部と一対の貫通穴を有する基部とからなるＵ字状のコアの一対の腕部間にチップコンデンサを配置し、金属フレーム端子の一端にチップコンデンサの一方の電極を固定し、金属フレーム端子の一端から二股に分かれた一対の貫通部を各貫通穴に貫通させて表面実装可能な電子部品を提案しているものもある（例えば、特許文献２参照）。
【０００４】
【特許文献１】実開平４−４６７１６号公報
【特許文献２】実開平１−８６７１５号公報
【発明の開示】
【発明が解決しようとする課題】
【０００５】
しかし、従来の電子部品では、回路基板へ実装するためにノズルの端面を電子部品の一側面（吸着面）に当接させて、負圧吸引により電子部品を搬送するとき、吸着面の凹凸により負圧吸引が不完全となって電子部品の落下や吸着エラーが生じ、またノズルによるコアの破壊を引起す可能性があった。
【０００６】
そこで、本発明は、ノズルによる吸着信頼性を向上させるために、少なくともコアの被吸着面相当部をカバーで覆い、また覆ったカバーがコアから剥がれるのを防止する電子部品を提供することを目的とする。
【課題を解決するための手段】
【０００７】
上記目的を達成するために、本発明は、一対の外部電極を有するチップ部品と、少なくとも一方向に開口するスペースを提供し、スペースにチップ部品を収容し、一対の貫通穴を有するコアと、一対の貫通穴に貫通し、チップ部品の一方の外部電極と接合する接合部を有する金属フレーム端子と、接合部及びコアと対向する板状部材と、板状部材から延びコアを保持するカバー片部とを有するカバーと、コアとカバーとを一体化するため、コアとカバーとの間に介在する樹脂とを備えた電子部品であって、カバー片部には、アンカー効果発生部が形成され、アンカー効果発生部内にも樹脂が流入固化している電子部品を提供している。
【０００８】
かかる構成によれば、樹脂の金属カバーへの接着強度が劣化したとしても、金属カバーの樹脂からの離間に対して、アンカー効果発生部内へ流入固化した樹脂がアンカーとして作用するので、金属カバーと樹脂との離間を防止することができる。更に、ノズルの吸着面となる板状部材は一般に平面状であるので、電子部品をノズルの負圧吸引により回路基板へ実装する時の吸着信頼性を向上させることができる。更に、カバーを設けることによって、ノズルによるコアの破壊を防止することができる。
【０００９】
ここで、アンカー効果発生部は、スリットであることが好ましい。かかる構成によれば、樹脂の金属カバーへの接着強度が劣化したとしても、金属カバーの樹脂からの離間に対して、スリット内へ流入固化した樹脂がアンカーとして作用するので、金属カバーと樹脂との離間を防止することができる。従って、電子部品をノズルの負圧吸引により回路基板へ実装する時の吸着信頼性を向上させることができる。
【００１０】
更に、アンカー効果発生部は、カバー片部のコアと対向する側に形成されたカバー凹部であることが好ましい。かかる構成によれば、樹脂の金属カバーへの接着強度が劣化したとしても、金属カバーの樹脂からの離間に対して、カバー凹部内へ流入固化した樹脂がアンカーとして作用するので、金属カバーと樹脂との離間を防止することができる。従って、電子部品をノズルの負圧吸引により回路基板へ実装する時の吸着信頼性を向上させることができる。
【００１１】
また、アンカー効果発生部は、カバー片部のコアと対向する側に形成された溝であることが好ましい。かかる構成によれば、樹脂の金属カバーへの接着強度が劣化したとしても、金属カバーの樹脂からの離間に対して、溝内へ流入固化した樹脂がアンカーとして作用するので、金属カバーと樹脂との離間を防止することができる。従って、電子部品をノズルの負圧吸引により回路基板へ実装する時の吸着信頼性を向上させることができる。
【００１２】
また、アンカー効果発生部は、切欠きであることが好ましい。かかる構成によれば、樹脂の金属カバーへの接着強度が劣化したとしても、金属カバーの樹脂からの離間に対して、切欠き内へ流入固化した樹脂がアンカーとして作用するので、金属カバーと樹脂との離間を防止することができる。従って、電子部品をノズルの負圧吸引により回路基板へ実装する時の吸着信頼性を向上させることができる。
【００１３】
また、コアのカバー片部と対向する部分には、コア凹部が形成されていることが好ましい。かかる構成によれば、樹脂のコアへの接着強度が劣化したとしても、樹脂のコアからの離間に対して、コア凹部内へ流入固化した樹脂がアンカーとして作用するので、樹脂とコアとの離間を防止することができる。従って、電子部品をノズルの負圧吸引により回路基板へ実装する時の吸着信頼性を向上させることができる。
【００１４】
また、アンカー効果発生部は、カバー片部の接合部から離間する側の端部に形成されることが好ましい。かかる構成によれば、製造時に樹脂は、アンカー効果発生部に流入するようにコアの接合部から離間する側に塗布される。従って、接合部に塗布されるはんだと樹脂との間の距離が確保されるので、両者が混ざるのを防止することができ、はんだが金属カバーに接触して、金属フレーム端子と金属カバーとがショートするのを防止することができる。
【発明の効果】
【００１５】
本発明の電子部品によれば、ノズルによる吸着信頼性を向上させ、少なくともコアの被吸着面相当部をカバーで覆い、また覆ったカバーがコアから剥がれるのを防止することができる。
【発明を実施するための最良の形態】
【００１６】
本発明による電子部品をノイズフィルタに適用した実施の形態について図１乃至図３に基づき説明する。図１はノイズフィルタ１の斜視図、図２はノイズフィルタ１の分解斜視図、図３はノイズフィルタ１を図１の斜視側と反対側から見た斜視図である。
【００１７】
図１、２に示すように、ノイズフィルタ１は、チップ部品２と、金属フレーム端子３と、第１コア４と、第２コア５と、端子６とから構成される電子部品本体と、金属製の金属カバー１０と、第１、２コア４、５と金属カバー１０とを接着するための接着剤１１とから構成される（図２においては接着剤１１の図示を省略している）。第１コア４及び第２コア５は、フェライト又は複合フェライト等により構成される。接着剤１１は絶縁性の熱硬化性樹脂である。
【００１８】
チップ部品２は、略直方体の形状をなしその長手方向両端部に外部電極２Ａ、２Ｂを有する容量性素子（例えば、チップコンデンサ、チップバリスタ）である。金属フレーム端子３は、チップ部品保有部３Ａを有し、チップ部品保有部３Ａは、略矩形状の接合部３Ａ１と、接合部３Ａ１の互いに対向する２辺から略垂直に延びる一対の腕部３Ａ２と、接合部３Ａ１の別の互いに対向する２辺から略垂直に延び、当該２辺の対向する方向へのチップ部品２の移動を規制する一対の第１押さえ片３Ａ３とから構成される。一対の腕部３Ａ２の端部には、腕部３Ａ２に直交し、かつ一対の腕部３Ａ２が対向する方向に延び、後述する第１コア４の第１貫通穴４ａ及び第２コア５の第２貫通穴５ａに貫通する貫通部３Ｂがそれぞれ延設されている。各貫通部３Ｂの一端からは、外縁部３Ｃがそれぞれ第１コア４及び第２コア５に沿うように延設されている。そして、外部電極２Ａと接合部３Ａ１とは、はんだにより接合される。
【００１９】
第１コア４及び第２コア５の間にはスペースＳが提供され、スペースＳにはチップ部品２及びチップ部品保有部３Ａが配置されている。
【００２０】
第１コア４は、第１−１面４Ａと、第２−１面４Ｂと、第３−１面４Ｃ（図３）と、第４面４Ｄと、第５面４Ｅ（図３）と、第６−１面４Ｆ（図３）とにより構成される。第１−１面４Ａは、第ａ１辺と第ａ１辺に略平行に延びる第ａ２辺とを有し、第２−１面４Ｂは、第ａ１辺と交差し第ａ１辺において第１角部θ１を構成する第１傾斜面４Ｂ１と、第１中央面４Ｂ２と、第１傾斜面４Ｂ１と逆方向に傾斜する第２傾斜面４Ｂ３とにより構成される。また、第１角部θ１は９０°未満に構成される。第３−１面４Ｃは、第２−１面４Ｂに対向し、かつ第２−１面４Ｂと同様の構造をしており、第ａ２辺と交差し第ａ２辺において第２角部θ２を構成する第３傾斜面４Ｃ１と、第２中央面４Ｃ２と、第４傾斜面４Ｃ３とにより構成される。また、第２角部θ２は９０°未満に構成される。
【００２１】
第４面４Ｄは、第１−１面４Ａと第２−１面４Ｂと第３−１面４Ｃとに交差しており、第５面４Ｅは、第１−１面４Ａと第２−１面４Ｂと第３−１面４Ｃとに交差し、第４面４Ｄに対向し、かつ略平行である。そして、第４面４Ｄ及び第５面４Ｅの略中央には、第４面４Ｄから第５面４Ｅへ貫通する第１貫通穴４ａが形成されており、金属フレーム端子３の貫通部３Ｂが貫通している。第６−１面４Ｆは、第１−１面４Ａに対向し、かつ第ａ３辺と第ａ３辺に略平行に延びる第ａ４辺（図３）とを有し、第ａ３辺において、第６−１面４Ｆと第２−１面４Ｂとは、角度が９０°未満である第３角部θ３を構成し、第ａ４辺において、第６−１面４Ｆと第３−１面４Ｃとは、角度が９０°未満である第４角部θ４を構成している。
【００２２】
第２コア５は、第１−２面５Ａと、第２−２面５Ｂと、第３−２面５Ｃ（図３）と、第７面５Ｄと、第８面５Ｅ（図３）と、第６−２面５Ｆ（図３）とにより構成される。第１−２面５Ａは、第ｂ１辺と第ｂ１辺に略平行に延びる第ｂ２辺とを有し、第１−１面４Ａと略同一平面上に規定されている。また、第ｂ１辺は、第ａ１辺と略同一直線上に、第ｂ２辺は、第ａ２辺と同一直線上に規定されている。
【００２３】
第２−２面５Ｂは、第ｂ１辺と交差し第ｂ１辺において第５角部θ５を構成する第５傾斜面５Ｂ１と、第２中央面５Ｂ２と、第５傾斜面５Ｂ１と逆方向に傾斜する第６傾斜面５Ｂ３とより構成される。また、第２−２面５Ｂは、第２−１面４Ｂと略同一平面上に規定されており、第５角部θ５は９０°未満に構成される。第３−２面５Ｃは、第２−２面５Ｂに対向し、かつ第２−２面５Ｂと同様の構造をしており、第ｂ２辺と交差し第ｂ２辺において第６角部θ６を構成する第７傾斜面５Ｃ１と、第４中央面５Ｃ２と、第８傾斜面５Ｃ３とにより構成される。また、第３−２面５Ｃは、第３−１面４Ｃと略同一平面上に規定されており、第６角部θ６は９０°未満に構成される。
【００２４】
第７面５Ｄは、第１−２面５Ａと第２−２面５Ｂと第３−２面５Ｃとに交差しており、第８面５Ｅは、第１−２面５Ａと第２−２面５Ｂと第３−２面５Ｃとに交差し、第７面５Ｄに対向している。そして、第７面５Ｄ及び第８面５Ｅの略中央には、第７面５Ｄから第８面５Ｅへ貫通する第２貫通穴５ａが形成されており、金属フレーム端子３の貫通部３Ｂが貫通している。
【００２５】
第６−２面５Ｆは、第１−２面５Ａに対向し、かつ第ｂ３辺と第ｂ３辺に略平行に延びる第ｂ４辺とを有し、第６−１面４Ｆと略同一平面上に規定されている。また、第ｂ３辺は、第ａ３辺と略同一直線上に、第ｂ４辺は、第ａ４辺と略同一直線上に規定されている。第ｂ３辺において、第６−２面５Ｆと第２−２面５Ｂとは、角度が９０°未満である第７角部θ７を構成し、第ｂ４辺において、第６−２面５Ｆと第３−２面５Ｃとは、角度が９０°で未満である第８角部θ８を構成している。
【００２６】
端子６は、第ａ３辺及び第ｂ３辺に略平行な第ｃ１辺と第ｃ１辺に略平行に延びる第ｃ２辺とを有し、第６−１面４Ｆ、第６−２面５Ｆ及び外部電極２Ｂに一部が対向する板部６Ａを有している。端子６は、更に一方の第ｃ１辺から第２傾斜面４Ｂ３に対向するように延びる第１−１端子片部６Ｂ１と、他方の第ｃ１辺から第６傾斜面５Ｂ３に対向するように延びる第１−２端子片部６Ｃ１と、一方の第ｃ２辺から第４傾斜面４Ｃ３に対向するように延びる第２−１端子片部６Ｄ１と、他方の第ｃ２辺から第８傾斜面５Ｃ３に対向するように延びる第２−２端子片部６Ｅ１とを有している。
【００２７】
そして、第１−１端子片部６Ｂ１から第５面４Ｅに対向するように第１ａずれ防止片６Ｂ２が延設され、第１−２端子片部６Ｃ１から第７面５Ｄに対向するように第１ｂずれ防止片６Ｃ２が延設され、第２−１端子片部６Ｄ１から第５面４Ｅに対向するように第２ａずれ防止片６Ｄ２が延設され、第２−２端子片部６Ｅ１から第７面５Ｄに対向するように第２ｂずれ防止片６Ｅ２が延設されている。
【００２８】
また、板部６Ａの第１−１端子片部６Ｂ１と第１−２端子片部６Ｃ１との略中央、及び第２−１端子片部６Ｄ１と第２−２端子片部６Ｅ１との略中央には、第１−１端子片部６Ｂ１及び第２−１端子片部６Ｄ１が対向する方向へのチップ部品２の移動を規制する一対の第２押さえ片６Ｆが、それぞれチップ部品２に対向するように設けられている。そして、端子６は、第１−１端子片部６Ｂ１と第２−１端子片部６Ｄ１との第２傾斜面４Ｂ３及び第４傾斜面４Ｃ３へのかしめと、第１−２端子片部６Ｃ１と第２−２端子片部６Ｅ１との第６傾斜面５Ｂ３及び第８傾斜面５Ｃ３へのかしめにより、第１コア４及び第２コア５に固定される。また、外部電極２Ｂと板部６Ａとは、はんだにより接合される。
【００２９】
金属カバー１０は、第ａ１辺に略平行に延びる第ｄ１辺と第ｄ１辺に略平行に延びる第ｄ２辺とを有し、接合部３Ａ１と第１−１面４Ａと第１−２面５Ａとに対向する平面状の板状部材１０Ａを有している。尚、板状部材１０Ａは、ノイズフィルタ１を回路基板上へ実装する時のノズルの吸着面として機能し、また板状部材１０Ａにノイズフィルタ１の型番等を印刷等することにより、ノイズフィルタ１の型番等の識別表示部しても機能する。第ｄ１辺と第ｄ２辺と間の距離は、第１−１面４Ａの第ａ１辺と第ａ２辺との間の距離、第１−２面５Ａの第ｂ１辺と第ｂ２辺との間の距離よりも僅かに長く構成される。
【００３０】
金属カバー１０は、更に第ｄ１辺の第１コア４側から第１傾斜面４Ｂ１に対向するように延びる第１−１カバー片部１０Ｂ１と、第ｄ１辺の第２コア５側から第５傾斜面５Ｂ１に対向するように延びる第１−２カバー片部１０Ｃ１と、第ｄ２辺の第１コア４側から第３傾斜面４Ｃ１に対向するように延びる第２−１カバー片部１０Ｄ１（図３）と、第ｄ２辺の第２コア５側から第７傾斜面５Ｃ１に対向するように延びる第２−２カバー片部１０Ｅ１（図３）とを有している。そして、各カバー片部１０Ｂ１、１０Ｃ１、１０Ｄ１、１０Ｅ１の接合部３Ａ１から離間する側の端部には、それぞれアンカー効果発生部である切欠き１０ａが形成されている。
【００３１】
金属カバー１０は、第１−１カバー片部１０Ｂ１と第２−１カバー片部１０Ｄ１の第１傾斜面４Ｂ１及び第３傾斜面４Ｃ１へのかしめと、第１−２カバー片部１０Ｃ１と第２−２カバー片部１０Ｅ１の第５傾斜面５Ｂ１及び第７傾斜面５Ｃ１へのかしめにより、第１コア４及び第２コア５に固定される。更に、板状部材１０Ａと第１−１面４Ａ、板状部材１０Ａと第１−２面５Ａ、第１−１カバー片部１０Ｂ１と第１傾斜面４Ｂ１、第１−２カバー片部１０Ｃ１と第５傾斜面５Ｂ１、第２−１カバー片部１０Ｄ１と第３傾斜面４Ｃ１、第２−２カバー片部１０Ｅ１と第７傾斜面５Ｃ１との間に介在する接着剤１１により、電子部品本体と金属カバー１０とは一体化される。このとき接着剤１１は、切欠き１０ａにも流入し硬化している。
【００３２】
上述のようにノイズフィルタ１に金属カバー１０を設け、かつノイズフィルタ１を回路基板へ実装するときのノズルの吸着面となる板状部材１０Ａを平面状としているので、ノズルの負圧吸引によりノイズフィルタ１を搬送するときの吸着信頼性を向上させることができ、吸着面の凹凸によるノイズフィルタ１の落下や吸着エラーやノズルによる第１、２コア４、５の破壊を防止することができる。更に、接着剤１１により電子部品本体と金属カバー１０とを一体化することにより、第１、２コア４、５の動きが規制されるのでノイズフィルタ１自体の強度を向上させることができる。
【００３３】
また、切欠き１０ａにも接着剤１１が流入・硬化しているので、接着剤１１の金属カバー１０への接着強度が劣化したとしても、金属カバー１０の電子部品本体からの離間に対して、硬化した接着剤１１がアンカーとして作用するので、金属カバー１０と電子部品本体との離間を防止することができる。従って、ノズルの負圧吸引によりノイズフィルタ１を搬送するときの吸着信頼性をより一層向上させることができる。
【００３４】
また切欠き１０ａは、各カバー片部１０Ｂ１、１０Ｃ１、１０Ｄ１、１０Ｅ１の接合部３Ａ１から離間する側の端部に形成されているので、製造時に接着剤１１は、第１コア４の第１−１面４Ａ及び第２コア５の第１−２面５Ａの接合部３Ａ１から離間する側に塗布される。従って、製造時に電極２Ａと接合部３Ａ１との接続のために塗布されるはんだと当該接着剤１１との間の距離が確保されるので、両者が混ざるのを防止することができ、はんだが金属カバー１０に接触して、金属フレーム端子３と金属カバー１０とがショートするのを防止することができる。
【００３５】
また、第１、２、５、６角部θ１、θ２、θ５、θ６を９０°未満に構成することにより、第１−１カバー片部１０Ｂ１と第２−１カバー片部１０Ｄ１と第１−２カバー片部１０Ｃ１と第２−２カバー片部１０Ｅ１とを第１傾斜面４Ｂ１と第３傾斜面４Ｃ１と第５傾斜面５Ｂ１と第７傾斜面５Ｃ１とへかしめることができるので、金属カバー１０を電子部品本体へ強固に固定することができる。
【００３６】
また、接着剤１１の金属カバー１０への接着強度が劣化したとしても、図４に示すように硬化した接着剤１１が各カバー片部と各傾斜面との間に介在しているので、上述のアンカー効果に加えて金属カバー１０の図４の上方向への移動を接着剤１１が物理的に規制することができる。また、接着剤１１の電子部品本体への接着強度か劣化したとしても、接着剤１１は、第１及び第２角部θ１、θ２と、各傾斜面とに沿って硬化しているので、電子部品本体に嵌合する形となり、電子部品本体から剥離するのを防止することができる。従って、接着剤１１が各カバー片部と各傾斜面との間に介在することとなるので、金属カバー１０の電子部品本体から離間する方向への移動を物理的に規制することができる。
【００３７】
更に、金属カバー１０の構造及び接着剤１１の物理的移動規制によって、接着強度の低い接着剤１１でも、その硬化温度がはんだの接合温度付近である限りは使用が可能であり、外部電極２Ａ及び接合部３Ａ１、外部電極２Ｂ及び板部６Ａのはんだによる接合及び、電子部品本体と金属カバー１０との間の接着剤１１の硬化を、恒温槽において同時に行うことができる。従って、ノイズフィルタ１の生産時間及び生産コストを減少させることができる。
【００３８】
また、電子部品本体は、各端子片部及び各ずれ防止片を備える端子６を有しているので、電子部品本体の組立工程中の取り扱いを容易にすることができる。更に、端子６を有することによって、チップ部品２が回路基板に直接接触することによる破壊を防止することができる。
【００３９】
本実施の形態のノイズフィルタ１は、高温状態や振動の激しい状態となる自動車やパチンコ機において使用するのに有効である。
【００４０】
本発明によるノイズフィルタ１は、上述した実施の形態に限定されず、特許請求の範囲に記載した範囲で種々の変形や改良が可能である。例えば、アンカー効果発生部である切欠き１０ａに代えて、第１の変更例として図５に示すようなスリット１０ｂであっても良いし、第２の変更例として図６に示すようなカバー凹部１０ｃであっても良い。また、第３の変更例として図７に示すような溝１０ｄであっても良いし、第４の変更例として図８に示すような孔１０ｅであっても良い。かかる構成によれば、上述の効果と同様の効果を得ることができる。また、切欠き１０ａは、各カバー片部１０Ｂ１、１０Ｃ１、１０Ｄ１、１０Ｅ１の接合部３Ａ１に近接する側の端部に形成しても良い。
【００４１】
更に、第５の変更例として図９に示すようにカバー凹部１０ｃに加えて、各カバー凹部１０ｃに対向する各傾斜面４Ｂ１、５Ｂ１にコア凹部４ｂ、５ｂを形成しても良い（第３傾斜面４Ｃ１及び第７傾斜面５Ｃ１にも同様のコア凹部が形成される）。かかる構成によれば、各コア凹部４ｂ、５ｂにも接着剤１１が流入硬化するので、接着剤１１の各コア４、５への接着強度が劣化しても、金属カバー１０の電子部品本体からの離間に対して、流入・硬化した接着剤１１がアンカーとして作用するので、金属カバー１０と電子部品本体との離間を防止することができる。
【００４２】
また、各カバー片部１０Ｂ１、１０Ｄ１、１０Ｃ１、１０Ｅ１は、それぞれ対向する各傾斜面４Ｂ１、５Ｂ１、４Ｃ１、５Ｃ１へかしめられていたが、上述の切欠き１０ａに流入・硬化した接着剤１１のアンカー効果が確保される限りはかしめなくても良い。また、例えば、ノイズフィルタ１のコアは、２つの第１コア４及び第２コア５に分割して構成されていたが、コンデンサを収容する一対の脚部と一対の脚部を接続する基部とからなるコの字状の一つのコアであっても良い。更に、電子部品はノイズフィルタに限定されず、コンデンサ、バリスタ、サーミスタでもよい。
【図面の簡単な説明】
【００４３】
【図１】本発明による電子部品をノイズフィルタに適用した実施の形態の斜視図。
【図２】本発明による実施の形態のノイズフィルタの分解斜視図。
【図３】本発明による実施の形態のノイズフィルタを図１の斜視側と反対側から見た斜視図。
【図４】図１のノイズフィルタを第１コア側から見たときの正面図。
【図５】ノイズフィルタの第１の変更例に係るスリット付近の拡大図。
【図６】ノイズフィルタの第２の変更例に係るカバー凹部付近の拡大図。
【図７】ノイズフィルタの第３の変更例に係る溝付近の拡大図。
【図８】ノイズフィルタの第４の変更例に係る孔付近の拡大図。
【図９】ノイズフィルタの第５の変更例に係るカバー凹部付近の拡大図。
【符号の説明】
【００４４】
１    ノイズフィルタ
２    チップ部品
２Ａ、２Ｂ  外部電極
３    金属フレーム端子
３Ａ１  接合部
４    第１コア
４ａ  第１貫通穴
４ｂ  コア凹部
５    第２コア
５ａ  第２貫通穴
５ｂ  コア凹部
１０  金属カバー
１０Ａ  板状部材
１０Ｂ１  第１−１カバー片部
１０Ｃ１  第１−２カバー片部
１０Ｄ１  第２−１カバー片部
１０Ｅ１  第２−２カバー片部
１０ａ  切欠き
１０ｂ  スリット
１０ｃ  カバー凹部
１０ｄ  溝
１０ｅ  孔
１１    接着剤
Ｓ      スペース
【図１】
2006073782.tif 000003
【図２】
2006073782.tif 000004
【図３】
2006073782.tif 000005
【図４】
2006073782.tif 000006
【図５】
2006073782.tif 000007
【図６】
2006073782.tif 000008
【図７】
2006073782.tif 000009
【図８】
2006073782.tif 000010
【図９】
2006073782.tif 000011